(57)【要約】  シンボル数の異なる複数の上り制御チャネル構成を用いて通信する場合であっても、周波数利用効率の低下を好適に制御すること。本発明の一態様に係るユーザ端末は、シンボル数の異なる複数の上り制御チャネル構成の少なくとも１つを用いて上り制御情報を送信する送信部と、前記複数の上り制御チャネル構成のいずれを用いる場合であっても、同じ時間リソースに参照信号をマッピングする制御を行う制御部と、を有することを特徴とする。
2018135608.tif 000002
【特許請求の範囲】
【請求項１】
シンボル数の異なる複数の上り制御チャネル構成の少なくとも１つを用いて上り制御情報を送信する送信部と、
前記複数の上り制御チャネル構成のいずれを用いる場合であっても、同じ時間リソースに参照信号をマッピングする制御を行う制御部と、を有することを特徴とするユーザ端末。
【請求項２】
前記制御部は、上り制御チャネルの最終シンボルに前記参照信号をマッピングする制御を行うことを特徴とする請求項１に記載のユーザ端末。
【請求項３】
前記制御部は、上り制御チャネルのシンボル数が所定の閾値を超える場合、所定のシンボルを基準として前記所定の閾値の整数倍前及び／又は後ろのシンボルに、前記参照信号をマッピングする制御を行うことを特徴とする請求項１又は請求項２に記載のユーザ端末。
【請求項４】
前記制御部は、上り制御チャネルのシンボル数に関する情報に基づいて、上り制御チャネルのシンボル数を決定することを特徴とする請求項１から請求項３のいずれかに記載のユーザ端末。
【請求項５】
前記制御部は、前記参照信号の基準系列の系列長を複数のシンボルのリソースに基づいて算出し、当該複数のシンボルのリソースにわたって当該基準系列に基づく系列を割り当てる制御を行うことを特徴とする請求項１から請求項４のいずれかに記載のユーザ端末。
【請求項６】
前記参照信号は、ノンコヒーレント送信に基づく上り制御情報及び／又は測定用参照信号と多重されることを特徴とする請求項１から請求項５のいずれかに記載のユーザ端末。
【請求項７】
ユーザ端末の無線通信方法であって、
シンボル数の異なる複数の上り制御チャネル構成の少なくとも１つを用いて上り制御情報を送信する工程と、
前記複数の上り制御チャネル構成のいずれを用いる場合であっても、同じ時間リソースに参照信号をマッピングする制御を行う工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末（ＵＥ：User  Equipment）は、ＵＬ制御チャネル（例えば、ＰＵＣＣＨ（Physical  Uplink  Control  Channel））及び／又はＵＬデータチャネル（例えば、ＰＵＳＣＨ（Physical  Uplink  Shared  Channel））を用いて、上り制御情報（ＵＣＩ：Uplink  Control  Information）を送信する。当該ＵＬ制御チャネルの構成（フォーマット）は、ＰＵＣＣＨフォーマットなどとも呼ばれる。【０００５】
ＵＣＩは、スケジューリング要求（ＳＲ：Scheduling  Request）、ＤＬデータ（ＤＬデータチャネル（ＰＤＳＣＨ：Physical  Downlink  Shared  Channel））に対する再送制御情報（ＨＡＲＱ−ＡＣＫ（Hybrid  Automatic  Repeat  reQuest-Acknowledge）、ＡＣＫ／ＮＡＣＫ（Negative  ACK）などとも呼ばれる）、チャネル状態情報（ＣＳＩ：Channel  State  Information）の少なくとも一つを含む。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ、ＮＲ）は、様々な無線通信サービスを、それぞれ異なる要求条件（例えば、超高速、大容量、超低遅延など）を満たすように実現することが期待されている。【０００８】
例えば、ＮＲでは、ｅＭＢＢ（enhanced  Mobile  Broad  Band）、ｍＭＴＣ（massive  Machine  Type  Communication）、ＵＲＬＬＣ（Ultra  Reliable  and  Low  Latency  Communications）などと呼ばれる無線通信サービスの提供が検討されている。【０００９】
ところで、ＬＴＥ／ＮＲでは、シンボル数の異なる上り制御チャネル（上り制御チャネルフォーマット）を用いることが検討されている。しかしながら、この場合、上り制御チャネルの上り制御情報シンボル及び参照信号シンボルについて単純なマッピング方法を用いると、効率的に上り制御情報を送信できないという課題がある。この場合、通信スループット、周波数利用効率などの劣化が生じる。【００１０】
本発明はかかる点に鑑みてなされたものであり、シンボル数の異なる複数の上り制御チャネル構成を用いて通信する場合であっても、周波数利用効率の低下を好適に制御できるユーザ端末及び無線通信方法を提供することを目的の１つとする。
【課題を解決するための手段】
【００１１】
本発明の一態様に係るユーザ端末は、シンボル数の異なる複数の上り制御チャネル構成の少なくとも１つを用いて上り制御情報を送信する送信部と、前記複数の上り制御チャネル構成のいずれを用いる場合であっても、同じ時間リソースに参照信号をマッピングする制御を行う制御部と、を有することを特徴とする。
【発明の効果】
【００１２】
本発明によれば、シンボル数の異なる複数の上り制御チャネル構成を用いて通信する場合であっても、周波数利用効率の低下を好適に制御できる。
【図面の簡単な説明】
【００１３】
【図１】図１Ａ及び１Ｂは、将来の無線通信システムにおけるショートＰＵＣＣＨ構成の一例を示す図である。
【図２】図２Ａ及び２Ｂは、将来の無線通信システムにおけるロングＰＵＣＣＨ構成の一例を示す図である。
【図３】図３Ａ−３Ｄは、ＲＳを先頭シンボルにマッピングするＰＵＣＣＨ構成の一例を示す図である。
【図４】図４Ａ−４Ｄは、第１の実施形態に係るＰＵＣＣＨ構成の一例を示す図である。
【図５】図５Ａ−５Ｄは、ＰＵＣＣＨシンボル数が所定の値を超える場合にＲＳの個数が増える構成の一例を示す図である。
【図６】図６Ａ−６Ｄは、ＰＵＣＣＨシンボル数が所定の値を超える場合にＲＳの個数が増える構成の別の一例を示す図である。
【図７】図７Ａ−７Ｄは、ＰＵＣＣＨのＳＣＳが基準ＳＣＳより広い場合のＰＵＣＣＨ構成の一例を示す図である。
【図８】図８は、ＰＵＣＣＨシンボル数がＸ以上のＰＵＣＣＨの多重の一例を示す図である。
【図９】図９は、ＰＵＣＣＨシンボル数がＸ以上のＰＵＣＣＨの多重の別の一例を示す図である。
【図１０】図１０は、ＰＵＣＣＨシンボル数がＸ以上のＰＵＣＣＨの多重のさらに別の一例を示す図である。
【図１１】図１１は、ＰＵＣＣＨシンボル数がＸ未満のＰＵＣＣＨの多重の一例を示す図である。
【図１２】図１２は、ＰＵＣＣＨシンボル数がＸ未満のＰＵＣＣＨの多重の別の一例を示す図である。
【図１３】図１３は、ＰＵＣＣＨシンボル数がＸ以上のＰＵＣＣＨとＰＵＣＣＨシンボル数がＸ未満のＰＵＣＣＨとの多重の一例を示す図である。
【図１４】図１４は、全てのＰＵＣＣＨシンボルがスロットの最終シンボルを含まない場合の一例を示す図である。
【図１５】図１５Ａ−１５Ｄは、ＰＵＣＣＨ構成の判断の一例を示す図である。
【図１６】図１６は、ＰＲＢ内でＲＳ基準系列を割り当てる場合のリソースマッピングの一例を示す図である。
【図１７】図１７は、全送信ＰＲＢでＲＳ基準系列を割り当てる場合のリソースマッピングの一例を示す図である。
【図１８】図１８は、ＰＲＢグループ内でＲＳ基準系列を割り当てる場合のリソースマッピングの一例を示す図である。
【図１９】図１９は、コヒーレント送信及びノンコヒーレント送信のＵＣＩの多重の一例を示す図である。
【図２０】図２０は、位相回転量セットの一例を示す図である。
【図２１】図２１Ａ−２１Ｄは、図２０におけるユニット１のＵＣＩ通知用ＲＳの生成処理の一例を示す図である。
【図２２】図２２は、コヒーレント送信及びノンコヒーレント送信のＵＣＩの多重の別の一例を示す図である。
【図２３】図２３は、コヒーレント送信のＰＵＣＣＨ及びＵＣＩ通知用のＳＲＳの多重の一例を示す図である。
【図２４】図２４は、コヒーレント送信のＰＵＣＣＨ及びＵＣＩが多重されないＳＲＳの多重の一例を示す図である。
【図２５】図２５は、本発明の一実施形態に係る無線通信システムの概略構成の一例を示す図である。
【図２６】図２６は、本発明の一実施形態に係る無線基地局の全体構成の一例を示す図である。
【図２７】図２７は、本発明の一実施形態に係る無線基地局の機能構成の一例を示す図である。
【図２８】図２８は、本発明の一実施形態に係るユーザ端末の全体構成の一例を示す図である。
【図２９】図２９は、本発明の一実施形態に係るユーザ端末の機能構成の一例を示す図である。
【図３０】図３０は、本発明の一実施形態に係る無線基地局及びユーザ端末のハードウェア構成の一例を示す図である。
【発明を実施するための形態】
【００１４】
将来の無線通信システム（例えば、ＬＴＥ  Ｒｅｌ．１４、１５以降、５Ｇ、ＮＲなど）では、単一のニューメロロジーではなく、複数のニューメロロジーを導入することが検討されている。
【００１５】
なお、ニューメロロジーとは、あるＲＡＴ（Radio  Access  Technology）における信号のデザイン、ＲＡＴのデザインなどを特徴付ける通信パラメータのセットを意味してもよく、サブキャリア間隔（ＳＣＳ：SubCarrier-Spacing）、シンボル長、サイクリックプリフィクス長、サブフレーム長など、周波数方向及び／又は時間方向に関するパラメータであってもよい。例えば、将来の無線通信システムでは、１５ｋＨｚ、３０ｋＨｚ、６０ｋＨｚ、１２０ｋＨｚ、２４０ｋＨｚなどの複数のＳＣＳ間隔がサポートされてもよい。
【００１６】
また、将来の無線通信システムでは、複数のニューメロロジーのサポートなどに伴い、既存のＬＴＥシステム（ＬＴＥ  Ｒｅｌ．１３以前）と同一及び／又は異なる時間単位（例えば、サブフレーム、スロット、ミニスロット、サブスロット、送信時間間隔（ＴＴＩ：Transmission  Time  Interval）、ショートＴＴＩ、無線フレームなどともいう）を導入することが検討されている。
【００１７】
なお、ＴＴＩとは、送受信データのトランスポートブロック、コードブロック、及び／又はコードワードなどを送受信する時間単位のことを表してもよい。ＴＴＩが与えられたとき、実際にデータのトランスポートブロック、コードブロック、及び／又はコードワードがマッピングされる時間区間（シンボル数）は、当該ＴＴＩよりも短くてもよい。
【００１８】
例えば、ＴＴＩが所定数のシンボル（例えば、１４シンボル）で構成される場合、送受信データのトランスポートブロック、コードブロック、及び／又はコードワード、などは、その中の１から所定数のシンボル区間で送受信されるものとすることができる。送受信データのトランスポートブロック、コードブロック、及び／又はコードワードを送受信するシンボル数がＴＴＩを構成するシンボル数よりも小さい場合、ＴＴＩ内でデータをマッピングしないシンボルには、参照信号、制御信号などをマッピングすることができる。
【００１９】
サブフレームは、ユーザ端末（例えば、ＵＥ：User  Equipment）が利用する（及び／又は設定された）ニューメロロジーに関係なく、所定の時間長（例えば、１ｍｓ）を有する時間単位としてもよい。
【００２０】
一方、スロットは、ＵＥが利用するニューメロロジーに基づく時間単位であってもよい。例えば、サブキャリア間隔が１５ｋＨｚ又は３０ｋＨｚである場合、１スロットあたりのシンボル数は、７又は１４シンボルであってもよい。サブキャリア間隔が６０ｋＨｚ以上の場合、１スロットあたりのシンボル数は、１４シンボルであってもよい。また、スロットには、複数のミニ（サブ）スロットが含まれてもよい。
【００２１】
一般に、サブキャリア間隔とシンボル長とは逆数の関係にある。このため、スロット（又はミニ（サブ）スロット）あたりのシンボル数が同一であれば、サブキャリア間隔が高く（広く）なるほどスロット長は短くなるし、サブキャリア間隔が低く（狭く）なるほどスロット長が長くなる。なお、「サブキャリア間隔が高い」とは、「サブキャリア間隔が広い」と言い換えられてもよく、「サブキャリア間隔が低い」とは、「サブキャリア間隔が狭い」と言い換えられてもよい。
【００２２】
このような将来の無線通信システムでは、既存のＬＴＥシステム（例えば、ＬＴＥ  Ｒｅｌ．８−１３）のＰＵＣＣＨ（Physical  Uplink  Control  Channel）フォーマットよりも短い期間（short  duration）で構成されるＵＬ制御チャネル（以下、ショートＰＵＣＣＨともいう）、及び／又は、当該短い期間よりも長い期間（long  duration）で構成されるＵＬ制御チャネル（以下、ロングＰＵＣＣＨともいう）をサポートすることが検討されている。
【００２３】
ショートＰＵＣＣＨ（short  PUCCH、shortened  PUCCH）は、あるＳＣＳにおける所定数のシンボル（例えば、１又は２シンボル）で構成される。当該ショートＰＵＣＣＨでは、上り制御情報（ＵＣＩ：Uplink  Control  Information）と参照信号（ＲＳ：Reference  Signal）とが時分割多重（ＴＤＭ：Time  Division  Multiplexing）されてもよいし、周波数分割多重（ＦＤＭ：Frequency  Division  Multiplexing）されてもよい。ＲＳは、例えば、ＵＣＩの復調に用いられる復調用参照信号（ＤＭＲＳ：DeModulation  Reference  Signal）であってもよい。
【００２４】
ショートＰＵＣＣＨの各シンボルのＳＣＳは、データチャネル用のシンボル（以下、データシンボルともいう）のＳＣＳと同一であってもよいし、より高くてもよい。データチャネルは、例えば、下りデータチャネル（ＰＤＳＣＨ：Physical  Downlink  Shared  Channel）、上りデータチャネル（ＰＵＳＣＨ：Physical  Uplink  Shared  Channel）などであってもよい。
【００２５】
ショートＰＵＣＣＨは、より高い（大きい、広い）ＳＣＳ（例えば、６０ｋＨｚ）のＰＵＣＣＨと呼ばれてもよい。なお、１つのショートＰＵＣＣＨが送信される時間単位は、ショートＴＴＩと呼ばれてもよい。
【００２６】
ショートＰＵＣＣＨでは、マルチキャリア波形（例えば、サイクリックプレフィックスＯＦＤＭ（ＣＰ−ＯＦＤＭ：Cyclic  Prefix  Orthogonal  Frequency  Division  Multiplexing）ベースの波形）が用いられてもよいし、シングルキャリア波形（例えば、ＤＦＴ拡散ＯＦＤＭ（ＤＦＴ−Ｓ−ＯＦＤＭ：Discrete  Fourier  Transform  Spread  Orthogonal  Frequency  Division  Multiplexing）ベースの波形）が用いられてもよい。
【００２７】
なお、波形は、伝送方式、多重方式、変調方式、アクセス方式、波形方式などと呼ばれてもよい。また、波形は、ＯＦＤＭ波形に対するＤＦＴプリコーディング（スプレッディング）の適用有無で特徴付けられてもよい。例えば、ＣＰ−ＯＦＤＭはＤＦＴプリコーディングを適用しない波形（信号）と呼ばれてもよいし、ＤＦＴ−Ｓ−ＯＦＤＭはＤＦＴプリコーディングを適用する波形（信号）と呼ばれてもよい。また、「波形」は「波形の信号」、「波形に従う信号」、「信号の波形」、「信号」などで読み替えられてもよい。
【００２８】
図１Ａ及び１Ｂは、将来の無線通信システムにおけるショートＰＵＣＣＨ構成の一例を示す図である。本例では、それぞれサブキャリア間隔Δｆ＝ｆ０（例えば、１５ｋＨｚ）の１４シンボルで１スロットが構成される例を示すが、１スロットに含まれるシンボル数はこれに限られない。
【００２９】
図１Ａ及び１Ｂでは、ショートＰＵＣＣＨが、スロットの最後から所定数のシンボル（ここでは、１又は２シンボル）に配置（マッピング）されている。また、ショートＰＵＣＣＨは、１つ以上の周波数リソース（例えば、１つ以上の物理リソースブロック（ＰＲＢ：Physical  Resource  Block））に配置される。
【００３０】
図１Ａに示すように、ショートＰＵＣＣＨにおいて、複数のシンボルにＵＣＩとＲＳとがＴＤＭされてもよい。当該ショートＰＵＣＣＨでは、ＵＣＩとＲＳとがそれぞれ異なるシンボルに配置される。当該ショートＰＵＣＣＨには、マルチキャリア波形（例えば、ＯＦＤＭ波形）又はシングルキャリア波形（例えば、ＤＦＴ−ｓ−ＯＦＤＭ波形）を適用できる。
【００３１】
一方、図１Ｂに示すように、ショートＰＵＣＣＨは、スロットを構成するＳＣＳ（＝ｆ０）より高いＳＣＳ（例えば、２ｆ０）の複数のシンボルにおいて、ＵＣＩとＲＳとがＴＤＭされてもよい。この場合、スロットの１シンボル（例えば、ロングシンボルと呼ばれてもよい）内に、より高いＳＣＳの複数のシンボル（例えば、ショートシンボルと呼ばれてもよい）を配置できる。当該ショートＰＵＣＣＨでは、ＵＣＩとＲＳとがそれぞれ異なるショートシンボルに配置される。当該ショートＰＵＣＣＨには、マルチキャリア波形（例えば、ＯＦＤＭ波形）又はシングルキャリア波形（例えば、ＤＦＴ−ｓ−ＯＦＤＭ）を適用できる。
【００３２】
また、ショートＰＵＣＣＨの１又は複数のシンボルにおいて、ＵＣＩとＲＳとがＦＤＭされてもよい。当該ショートＰＵＣＣＨでは、ＵＣＩとＲＳとが異なる周波数リソース（例えば、ＰＲＢ、リソースユニット、リソースエレメント又はサブキャリアなど）に配置されてもよい。この場合、当該ショートＰＵＣＣＨにシングルキャリア波形を適用するとピーク対平均電力比（ＰＡＰＲ：Peak  to  Average  Power  Ratio）が増大する恐れがあるため、マルチキャリア波形が好適である。
【００３３】
なお、図１Ａ及び１ＢではショートＰＵＣＣＨはスロットの最終シンボルにマッピングされる例を示したが、ショートＰＵＣＣＨの位置はこれに限られない。例えば、ショートＰＵＣＣＨの配置シンボルは、スロットの最初又は途中の所定数のシンボルであってもよい。
【００３４】
一方、ロングＰＵＣＣＨは、ショートＰＵＣＣＨよりもカバレッジを向上させるために、スロット内の複数のシンボルに渡って配置される。当該ロングＰＵＣＣＨでは、ＵＣＩとＲＳ（例えば、ＤＭＲＳ）とがＴＤＭされてもよいし、ＦＤＭされてもよい。ロングＰＵＣＣＨは、より低い（小さい、狭い）ＳＣＳ（例えば、１５ｋＨｚ）のＰＵＣＣＨと呼ばれてもよい。なお、１つのロングＰＵＣＣＨが送信される時間単位は、ロングＴＴＩと呼ばれてもよい。
【００３５】
ロングＰＵＣＣＨは、ショートＰＵＣＣＨと等しい数の周波数リソースで構成されてもよいし、電力増幅（power  boosting）効果を得るため、ショートＰＵＣＣＨよりも少ない数の周波数リソース（例えば、１又は２つのＰＲＢ）で構成されてもよい。また、ロングＰＵＣＣＨは、ショートＰＵＣＣＨと同一のスロット内に配置されてもよい。
【００３６】
ロングＰＵＣＣＨでは、シングルキャリア波形（例えば、ＤＦＴ−ｓ−ＯＦＤＭ波形）が用いられてもよいし、マルチキャリア波形（例えば、ＯＦＤＭ波形）が用いられてもよい。また、ロングＰＵＣＣＨには、スロット内の所定期間（例えば、ミニ（サブ）スロット）ごとに周波数ホッピングが適用されてもよい。
【００３７】
なお、ロングＰＵＣＣＨは、既存のＬＴＥシステム（例えば、ＬＴＥ  Ｒｅｌ．８−１３）で規定されるＰＵＣＣＨと異なるＰＵＣＣＨ（異なるフォーマットのＰＵＣＣＨ）であってもよい。
【００３８】
図２Ａ及び２Ｂは、将来の無線通信システムにおけるロングＰＵＣＣＨ構成の一例を示す図である。本例では、それぞれサブキャリア間隔Δｆ＝ｆ０（例えば、１５ｋＨｚ）の１４シンボルで１スロットが構成される例を示すが、１スロットに含まれるシンボル数はこれに限られない。
【００３９】
図２Ａでは、ＵＬ信号（例えば、ＰＵＳＣＨ及び／又はＰＵＣＣＨ）が送受信されるスロット（ＵＬオンリースロット）の一例が示され、図２Ｂでは、所定数のシンボル（ここでは、先頭１シンボル）でＤＬ信号（例えば、ＰＤＣＣＨ）が送受信され、ＤＬとＵＬとの切り替え用のシンボル（ギャップ区間）が設けられ、残りのシンボルでＵＬ信号（例えば、ＰＵＳＣＨ及び／又はＰＵＣＣＨ）が送受信されるスロット（ＵＬセントリックスロット）の一例が示される。なお、ロングＰＵＣＣＨが適用可能なスロットは、ＵＬオンリースロット、ＵＬセントリックスロットに限られない。
【００４０】
図２Ａに示すＵＬオンリースロットでは、ロングＰＵＣＣＨが、スロット内の全１４シンボルにわたって配置される。図２Ａに示すショートＰＵＣＣＨでは、ＵＣＩが、拡散、繰り返し及び符号化の少なくとも１つにより、複数のＵＣＩシンボル（ここでは、１０シンボル）にわたりマッピングされる。
【００４１】
図２ＢのＵＬセントリックスロットでは、ロングＰＵＣＣＨが、スロット内のＵＬ信号用の１２シンボルにわたって配置される。図２Ｂに示すショートＰＵＣＣＨでは、ＵＣＩが、拡散、繰り返し及び符号化の少なくとも１つにより、複数のＵＣＩシンボル（ここでは、９シンボル）にわたりマッピングされる。
【００４２】
以下、単なる「ＰＵＣＣＨ」という表記は、「ショートＰＵＣＣＨ及び／又はロングＰＵＣＣＨ」と読み替えられてもよい。
【００４３】
ＰＵＣＣＨは、スロット内でＵＬデータチャネル（以下、ＰＵＳＣＨともいう）とＴＤＭ及び／又はＦＤＭされてもよい。また、ＰＵＣＣＨは、スロット内でＤＬデータチャネル（以下、ＰＤＳＣＨともいう）及び／又はＤＬ制御チャネル（以下、ＰＤＣＣＨ：Physical  Downlink  Control  Channelともいう）とＴＤＭ及び／又はＦＤＭされてもよい。
【００４４】
ＮＲにおいて、ＰＵＣＣＨに割り当てられるシンボル（ＰＵＣＣＨ割り当てシンボル、ＰＵＣＣＨシンボルなどと呼ばれてもよい）の数は、スロット固有、セル固有、ＵＥ固有のいずれか又はこれらの組み合わせで決定され得る。ＰＵＣＣＨシンボル数を増やすほど通信可能距離が伸びると期待されるため、例えば基地局（例えば、ｅＮＢ、ｇＮＢ）遠方のＵＥほどシンボル数を増やすという運用が想定される。
【００４５】
このような様々な構成のＵＬ制御チャネル（例えば、ショートＰＵＣＣＨ及び／又はロングＰＵＣＣＨなど）をサポートする場合、これらのＵＬ制御チャネルそれぞれについて、基地局側の受信（復号、検出なども含む）及び／又はＵＥ側の送信アルゴリズムを実装する必要がある。
【００４６】
ところで、ＮＲでは、ＰＵＣＣＨをスロット内の最後のＵＬシンボル近傍にマッピングすることが検討されている。これにより、スケジューリングを簡単化することができるためである。また、ＮＲでは、ＲＳを先頭（前方）に配置して、ＵＣＩを後方に配置するＰＵＣＣＨ構成が検討されている。
【００４７】
受信機（例えば、基地局）は、シンボルごとにフーリエ変換（ＦＦＴ：Fast  Fourier  Transform）処理を行うので、ＲＳを先頭に配置すれば、ＵＣＩの復調より１シンボル早いタイミングでＲＳの復調及びチャネル推定処理を開始できる。このため、ＰＵＣＣＨの復号処理時間の短縮、ひいては通信の低遅延化に貢献できると期待されている。
【００４８】
図３Ａ−３Ｄは、ＲＳを先頭シンボルにマッピングするＰＵＣＣＨ構成の一例を示す図である。図３Ａ−３Ｄは、それぞれ２、４、１２及び１４シンボルのＰＵＣＣＨを示している。いずれのＰＵＣＣＨも、割り当てられるシンボルのうちの先頭のシンボルにＲＳをマッピングするように構成されている。また、スロット内の最終シンボルがＰＵＣＣＨの最終シンボルとなるようにマッピングされている。
【００４９】
図３Ａ−３Ｄでは、異なる長さのＰＵＣＣＨは、それぞれ別々のＵＥに利用される例が示されている。図３Ａ−３ＤのＰＵＣＣＨは、それぞれＵＥ１−ＵＥ４に利用される。本例では、これらのＰＵＣＣＨが同じタイミングで送信されることを想定して、あるＵＥのＲＳと別のＵＥのＵＣＩとが衝突しないように、少なくとも１つのＰＵＣＣＨでＲＳが送信されるシンボルのＵＣＩがパンクチャされている。これにより、ＲＳを用いた測定精度の劣化を抑制できる。
【００５０】
なお、パンクチャは、例えば、所定のリソースが利用できるものと想定してＵＬデータを生成した後、当該リソース分データを間引く処理のことをいう。本明細書におけるパンクチャは、レートマッチングと読み替えられてもよい。レートマッチングは、例えば、所定のリソースにデータをマッピングできないものと想定して、少ないＵＬデータ量で信号を生成して他のリソースにマッピングする処理のことをいう。
【００５１】
例えば、図３Ａの２シンボルＰＵＣＣＨにおいてスロット内の最終シンボルの１つ前のシンボルは、図３Ｂ−３ＤのそれぞれのＰＵＣＣＨでパンクチャされている（パンクチャード）。同様に、スロット内の最終シンボルの３つ前、１１個前のシンボルでも、ＵＣＩがマッピングされないようにパンクチャされている。
【００５２】
このように、シンボル数（時間リソースの長さ）が異なるＰＵＣＣＨを用いる場合、単純なマッピング方法を用いると、多数のＵＣＩシンボルがパンクチャされてしまうため、効率的にＵＣＩを送信できないという課題がある。この場合、通信スループット、周波数利用効率などの劣化が生じる。
【００５３】
ここで、本発明者らは、ＲＳをＵＣＩより前に配置することが必ずしも効果的ではないことに着目した。例えば、ＳＣＳが１５ｋＨｚの場合、１シンボルは約６６．６７μｓとなり、ＳＣＳが１２０ｋＨｚの場合、１シンボルは８．３ｕｓとなる。このようにＳＣＳが高い場合、１シンボルの時間が短いため、ＲＳをＵＣＩより前に配置しても遅延の低減にはあまり寄与しない。また、ＲＳ及びＵＣＩを両方とも受信してからでないと復調処理を開始できない場合（例えば、最尤検出（ＭＬＤ：Maximum  Likelihood  Detection）を行う場合）には、ＲＳをＵＣＩより前に配置する利点は小さい。
【００５４】
そこで、本発明者らは、シンボル数が異なるＰＵＣＣＨを用いる場合であっても、ＵＣＩシンボルのパンクチャを抑制する方法を検討し、本発明に至った。本発明の一態様によれば、所定のＰＵＣＣＨ構成において、他のＰＵＣＣＨ構成と同じシンボル位置でＲＳを送信するため、ＲＳの干渉低減のためのＵＣＩのパンクチャを抑制できる。
【００５５】
以下、本発明に係る実施形態について、図面を参照して詳細に説明する。各実施形態に係る無線通信方法は、それぞれ単独で適用されてもよいし、組み合わせて適用されてもよい。
【００５６】
なお、以下の各実施形態では、「シンボル（シンボル位置）」は、所定のニューメロロジー（例えば、所定値のＳＣＳ）を想定した「シンボル（シンボル位置）」（時間リソース）を意味してもよい。
【００５７】
また、ＵＥは、１つ以上のＳＣＳ（例えば、１５ｋＨｚ、３０ｋＨｚ、６０ｋＨｚ、１２０ｋＨｚ、２４０ｋＨｚなど）をサポートするものとする。以下では、１スロット内の通常のシンボル（例えば、データ用のシンボル（データシンボル））のＳＣＳ（Δｆ）がｆ０（例えば、１５ｋＨｚ）である場合を想定するが、これに限られない。なお、１スロット内の通常のシンボル（例えば、データシンボル）のＳＣＳは、基準ＳＣＳと呼ばれてもよい。
【００５８】
（無線通信方法）
＜第１の実施形態＞
本発明の第１の実施形態では、ＵＥは、同じシンボル位置でＲＳを送信する（ＲＳを割り当てる）複数のＰＵＣＣＨ構成のいずれかを用いてＵＣＩを送信する。ここで、ＰＵＣＣＨ構成は、ＵＣＩ及び／又はＵＣＩ用参照信号（例えば、復調用参照信号）に関するリソース構成であってもよく、ＰＵＣＣＨフォーマットなどと呼ばれてもよい。
【００５９】
［ＲＳの位置］
複数のＰＵＣＣＨ構成において、ＲＳは、ＰＵＣＣＨ割り当てシンボルの最終シンボルにマッピングされてもよい。ＰＵＣＣＨ割り当てシンボルとは、所定のＰＵＣＣＨ構成でＵＣＩ及び／又はＵＣＩ用ＲＳのマッピングに利用できる１つ以上のシンボルのことをいう。
【００６０】
ＰＵＣＣＨシンボル数の異なる（ＰＵＣＣＨ構成の異なる）ＵＥのＰＵＣＣＨ多重は、ＲＳのマッピング位置が同じとなるように行われることが好ましい。これにより、ＰＵＣＣＨシンボル数に関わらず、同じシンボル位置にＲＳがマッピングされる。
【００６１】
図４Ａ−４Ｄは、第１の実施形態に係るＰＵＣＣＨ構成の一例を示す図である。図４Ａ−４Ｄは、それぞれ２、４、１２及び１４シンボルのＰＵＣＣＨを示している。いずれのＰＵＣＣＨも、割り当てられるシンボルのうちの最終シンボル（ｎシンボルＰＵＣＣＨであれば、ｎ番目のシンボル）にＲＳをマッピングするように構成されている。
【００６２】
図４Ａ−４Ｄに示したような異なるシンボル数のＰＵＣＣＨは、それぞれ別々のＵＥに利用されてもよい。例えば、図４Ａ−４ＤのＰＵＣＣＨは、それぞれＵＥ１−ＵＥ４に利用されてもよい。
【００６３】
なお、１つのＵＣＩのペイロードは、複数シンボルに拡散してマッピングされてもよいし、複数シンボルにわたって繰り返しマッピングされてもよいし、複数シンボルにわたって符号化されてもよい。
【００６４】
所定のＰＵＣＣＨ構成において、ＲＳは、ＰＵＣＣＨシンボルのうち最終シンボル以外のシンボルにマッピングされてもよい。ＰＵＣＣＨシンボル数が所定の値Ｘを超える場合、所定のシンボルを基準として所定の値Ｘの整数倍だけ前及び／又は後ろのシンボルにＲＳがマッピングされてもよい。
【００６５】
例えば、ＰＵＣＣＨシンボル数が所定の値Ｘを超える場合、ＰＵＣＣＨシンボルの最終シンボルから前方に（時間的に早い方に）Ｘの整数倍個のシンボルごとにＲＳがマッピングされる構成としてもよい。この場合、ＰＵＣＣＨシンボルの末尾から（Ｘの整数倍＋１）番目のシンボルにＲＳがマッピングされる（最終シンボルは末尾から１番目）。マッピングされるＲＳの個数は、ｃｅｉｌ（ＰＵＣＣＨシンボル数／Ｘ）で求められる（ここで、ｃｅｉｌ（）は天井関数）。
【００６６】
このような構成によれば、必要に応じて（例えば、ＰＵＣＣＨの長さに応じて）ＲＳ密度を増やすことができ、チャネル推定精度の向上が可能になる。
【００６７】
なお、上記の閾値Ｘは、ＰＵＣＣＨシンボルに関する閾値、ＲＳシンボル周期などと呼ばれてもよい。
【００６８】
図５Ａ−５Ｄは、ＰＵＣＣＨシンボル数が所定の値を超える場合にＲＳの個数が増える構成の一例を示す図である。図５Ａ−５Ｄは、それぞれ図４Ａ−４Ｄと同様のシンボル数のＰＵＣＣＨを示している。ただし、ＰＵＣＣＨシンボル数が所定の値Ｘ（＝４）を超える場合、ＰＵＣＣＨシンボルの最終シンボルから前方にＸシンボルごとにＲＳがマッピングされる点が異なる。
【００６９】
本例では、ＰＵＣＣＨシンボル数が４以下の場合は、図５Ａ及び５Ｂのように、最終シンボルのみにＲＳがマッピングされる。一方、そうでない場合は、図５Ｃ及び５Ｄのように、最終シンボルのシンボル番号を＃ｚとすると、＃ｚ−Ｘ、＃ｚ−２Ｘ、…、のシンボル番号の位置にＲＳがマッピングされる。
【００７０】
図６Ａ−６Ｄは、ＰＵＣＣＨシンボル数が所定の値を超える場合にＲＳの個数が増える構成の別の一例を示す図である。図６Ａ−６Ｄは、それぞれ図４Ａ−４Ｄと同様のシンボル数のＰＵＣＣＨを示している。ただし、ＰＵＣＣＨシンボル数が所定の値Ｘ（＝７）を超える場合、ＰＵＣＣＨシンボルの最終シンボルから前方にＸシンボルごとにＲＳがマッピングされる点が異なる。
【００７１】
本例では、ＰＵＣＣＨシンボル数が７以下の場合は、図６Ａ及び６Ｂのように、最終シンボルのみにＲＳがマッピングされる。一方、そうでない場合は、図６Ｃ及び６Ｄのように、最終シンボルのシンボル番号を＃ｚとすると、＃ｚ−Ｘ、＃ｚ−２Ｘ、…、のシンボル番号の位置にＲＳがマッピングされる。図５及び図６から理解できるように、Ｘが大きくなるほど、ＲＳのオーバヘッドを低減することができる。
【００７２】
なお、１つのＰＵＣＣＨの中で複数のＲＳがマッピング可能である場合には、一部のＲＳをマッピングしない構成としてもよい。
【００７３】
また、図４−図６の例では、ＰＵＣＣＨのＳＣＳが基準ＳＣＳ（例えば、データシンボルのＳＣＳ）と同じ例を示したが、これに限られない。例えば、ＰＵＣＣＨのＳＣＳは基準ＳＣＳより広くてもよく、この場合、上述のＰＵＣＣＨシンボル数を、ＰＵＣＣＨのＳＣＳに対応するシンボル（例えば、ショートシンボル）の数と読み替えてもよい。
【００７４】
図７Ａ−７Ｄは、ＰＵＣＣＨのＳＣＳが基準ＳＣＳより広い場合のＰＵＣＣＨ構成の一例を示す図である。図７Ａ−７Ｄは、それぞれ２、４、８及び４シンボル（図中のショートシンボル）のＰＵＣＣＨを示している。図７Ａ−７Ｄにおいて、ＰＵＣＣＨのＳＣＳは、それぞれ２ｆ０、４ｆ０、８ｆ０及び２ｆ０である。また、上述したＸは、４であるものとする。
【００７５】
図７Ａ−７Ｃでは、ＰＵＣＣＨシンボル数が、ＰＵＣＣＨのＳＣＳを基準ＳＣＳで割った値以下であるため、通常のシンボル期間内にＰＵＣＣＨをマッピングできる。図７Ｄでは、ＰＵＣＣＨシンボル数が、ＰＵＣＣＨのＳＣＳを基準ＳＣＳで割った値より大きいため、複数の通常のシンボル期間（ここでは２シンボル）内にＰＵＣＣＨをマッピングできる。
【００７６】
［複数のＰＵＣＣＨの多重］
複数のＵＥに対するＰＵＣＣＨの多重方法について説明する。ここでは、上述したＰＵＣＣＨ構成（ＰＵＣＣＨシンボル数が所定の値Ｘを超える場合に、ＰＵＣＣＨシンボルの最終シンボルから前方にＸの整数倍個のシンボルごとにＲＳがマッピングされるＰＵＣＣＨ構成）を想定して説明するが、これに限られない。また、本明細書では、以下、特筆しない場合Ｘ＝４として説明するが、Ｘの値はこれに限られない。
【００７７】
以下、（１）ＰＵＣＣＨシンボル数がＸ以上のＰＵＣＣＨの多重、（２）ＰＵＣＣＨシンボル数がＸ未満のＰＵＣＣＨの多重、（３）ＰＵＣＣＨシンボル数がＸ以上のＰＵＣＣＨとＰＵＣＣＨシンボル数がＸ未満のＰＵＣＣＨとの多重、の順で説明する。なお、以降では、簡単のため、１つのＰＵＣＣＨを「ユニット」と呼称する。複数のユニットは、同じ周波数リソース（例えば、ＰＲＢ）で送信されると想定される。
【００７８】
｛ＰＵＣＣＨシンボル数がＸ以上のＰＵＣＣＨの多重｝
図８は、ＰＵＣＣＨシンボル数がＸ以上のＰＵＣＣＨの多重の一例を示す図である。本例では、４シンボルから成るユニット１−３が、１２シンボルから成るユニット４と多重されている。シンボル数の少ないユニット１−３のＲＳは、それぞれシンボル数の多いユニット４のＲＳの一部と同じシンボルにマッピングされている。なお、以下、本明細書の多重の例において、特筆しない場合には、ユニット１のシンボルはスロットの最終シンボルを含むものとする。
【００７９】
シンボル数の少ないユニットは、シンボル数の多いユニットの最終シンボルのＲＳと同じシンボルにＲＳがマッピングされるように多重されてもよいし（ユニット１及び４）、シンボル数の多いユニットの最終シンボルでないシンボルのＲＳと同じシンボルにＲＳがマッピングされるように多重されてもよい（ユニット２又は３、及び４）。
【００８０】
ＴＤＭされるＵＣＩは、それぞれ別のＵＥに対するＵＣＩであってもよいし（例えば、ユニット１−３はそれぞれＵＥ１−３に対応）、同じＵＥに対するＵＣＩであってもよい（例えば、ユニット１−３はＵＥ１に対応）。後者の場合、１つのＵＥが利用する複数のサービングセルに関するＵＣＩがＴＤＭされてもよいし、ＭＩＭＯ（Multi-Input  Multi-Output）の複数レイヤのＵＣＩがＴＤＭされてもよい。
【００８１】
図９は、ＰＵＣＣＨシンボル数がＸ以上のＰＵＣＣＨの多重の別の一例を示す図である。本例では、４シンボルから成るユニット１及び８シンボルから成るユニット２が、１２シンボルから成るユニット３と多重されている。シンボル数の少ないユニット１−２のＲＳは、それぞれシンボル数の多いユニット３のＲＳの一部と同じシンボルにマッピングされている。
【００８２】
ここで、ユニット２は、Ｘの値に依らずＰＵＣＣＨの最終シンボルのみにＲＳをマッピングする構成であるものとする。この場合、図９に示すように、ユニット３のＲＳと同じシンボルに位置するユニット２のＵＣＩは、パンクチャされてもよい。このように、ＰＵＣＣＨの一部のＵＣＩシンボルは、パンクチャされてもよい。
【００８３】
図１０は、ＰＵＣＣＨシンボル数がＸ以上のＰＵＣＣＨの多重のさらに別の一例を示す図である。本例は、図８の例と類似しているが、ユニット２及び３が同じＵＣＩを送信する点が異なる。複数のユニット（ここではユニット２及び３）にわたり、１つのＵＣＩが、拡散、繰り返し及び符号化の少なくとも１つによりマッピングされる。基地局は、ユニット２及び３について、これらに含まれる複数のＲＳを用いてチャネル推定精度を向上でき、受信品質を改善できる。
【００８４】
｛ＰＵＣＣＨシンボル数がＸ未満のＰＵＣＣＨの多重｝
図１１は、ＰＵＣＣＨシンボル数がＸ未満のＰＵＣＣＨの多重の一例を示す図である。本例では、２シンボルから成るユニット１−３が互いに多重されている。なお、ＰＵＣＣＨシンボルは、ユニット１のように時間的に連続するシンボルで構成されてもよいし、ユニット２及び３のように時間的に不連続なシンボルで構成されてもよい。ユニット１−３のＲＳは、同じシンボル（ここでは、ＰＵＣＣＨの最終シンボル）にマッピングされている。同じシンボルにマッピングされる複数のＲＳは、符号分割多重（ＣＤＭ：Code  Division  Multiplexing）されてもよい。
【００８５】
ＰＵＣＣＨシンボル数がＸ未満のユニットは、複数のユニット間でＵＣＩシンボルの位置が異なるようにマッピングされることが好ましい。図１１の場合、ユニット１−３のＵＣＩは、それぞれスロット内最終シンボルの１つ前、２つ前及び３つ前にマッピングされている。このように、ＵＣＩシンボルをユニット間で１シンボルずつずらす構成によれば、Ｘ−１個のユニットのＵＣＩをＴＤＭすることができる。
【００８６】
なお、本明細書において、ＰＵＣＣＨシンボル数は、実際にＵＣＩ及び／又はＲＳがマッピングされるＰＵＣＣＨシンボル数（パンクチャドシンボルを除いたＰＵＣＣＨシンボル数）で読み替えられてもよい。例えば、図１１におけるユニット２は、最終シンボルを含む３シンボルから成り、２シンボル分のＵＣＩから１シンボル分がパンクチャされるユニットであってもよい。また、図１１におけるユニット３は、最終シンボルを含む４シンボルから成り、３シンボル分のＵＣＩから２シンボル分がパンクチャされてＵＣＩがマッピングされるユニットであってもよい。
【００８７】
ＴＤＭされるＵＣＩは、それぞれ別のＵＥに対するＵＣＩであってもよいし（例えば、ユニット１−３はそれぞれＵＥ１−３に対応）、同じＵＥに対するＵＣＩであってもよい（例えば、ユニット１−３はＵＥ１に対応）。
【００８８】
なお、ユニット内のＵＣＩシンボル数は１より大きくてもよく。ユニットごとにＵＣＩシンボル数（言い換えると、ＰＵＣＣＨ内のＵＣＩ密度（又はＲＳ密度））は異なってもよい。つまり、異なるシンボル数のユニットが多重されてもよい。
【００８９】
図１２は、ＰＵＣＣＨシンボル数がＸ未満のＰＵＣＣＨの多重の別の一例を示す図である。本例では、２シンボルから成るユニット１及び３シンボルから成るユニット２が互いに多重されている。ユニット１−２のＲＳは、同じシンボル（ここでは、ＰＵＣＣＨの最終シンボル）にマッピングされている。
【００９０】
図１２の場合、ユニット１のＵＣＩは、スロット内最終シンボルの１つ前にマッピングされ、ユニット２のＵＣＩは、当該最終シンボルの２つ前及び３つ前にマッピングされている。
【００９１】
なお、ＵＣＩが多重されるシンボルは、ＲＳからＸシンボル以上離れ、かつ他のユニットのＲＳと重複しないシンボルであってもよい。また、ユニット間で同じシンボルにＵＣＩがマッピングされてもよい。
【００９２】
｛ＰＵＣＣＨシンボル数がＸ以上のＰＵＣＣＨとＰＵＣＣＨシンボル数がＸ未満のＰＵＣＣＨとの多重｝
図１３は、ＰＵＣＣＨシンボル数がＸ以上のＰＵＣＣＨとＰＵＣＣＨシンボル数がＸ未満のＰＵＣＣＨとの多重の一例を示す図である。本例では、２シンボルから成るユニット１−３が互いに多重され、さらに１２シンボルから成るユニット６と多重されている。また、４シンボルから成るユニット４−５も、ユニット６と多重されている。ここまで説明した多重方法を組み合わせることで、図１３のような多重が実現できる。
【００９３】
なお、ここまで、少なくとも１つのユニット（ＰＵＣＣＨ）のシンボルが、スロットの最終シンボルを含む例を示してきたが、全てのＰＵＣＣＨシンボルがスロットの最終シンボルを含まない構成としてもよい。これにより、柔軟なスケジューリングが可能となる。
【００９４】
図１４は、全てのＰＵＣＣＨシンボルがスロットの最終シンボルを含まない場合の一例を示す図である。本例では、２シンボルから成るユニット１−３が互いに多重され、さらに４シンボルから成るユニット４と多重されている。これらのユニットのＰＵＣＣＨシンボルの最終シンボルは、スロットの最終シンボルでない。
【００９５】
［ＰＵＣＣＨ構成の判断］
ＵＥは、ＰＵＣＣＨシンボル数を、ネットワーク（例えば、基地局）からの通知（設定、指示）により取得してもよい。ＵＥは、ＰＵＣＣＨシンボル数に関する情報を、上位レイヤシグナリング（例えば、ＲＲＣ（Radio  Resource  Control）シグナリング、ＭＡＣ（Medium  Access  Control）シグナリング、ブロードキャスト情報（ＭＩＢ（Master  Information  Block）、ＳＩＢ（System  Information  Block）など））、物理レイヤシグナリング（例えば、ＤＣＩ）又はこれらの組み合わせにより通知されてもよい。ＰＵＣＣＨシンボル数に関する情報を用いることで、ＵＥはＵＣＩ送信に用いるＰＵＣＣＨ構成を明確に特定できる。
【００９６】
ＰＵＣＣＨシンボル数に関する情報は、明示的なＰＵＣＣＨシンボル数であってもよい。この場合、ＵＥは、通知された情報に基づいてＰＵＣＣＨシンボル数を決定し、当該ＰＵＣＣＨシンボル数に従ってＰＵＣＣＨのＵＣＩ及びＲＳをマッピングしてもよい。
【００９７】
また、ＰＵＣＣＨシンボル数に関する情報は、ＰＵＣＣＨシンボル数（及び／又はＰＵＣＣＨリソース）の候補の情報であってもよい。ＰＵＣＣＨシンボル数（及び／又はＰＵＣＣＨリソース）の候補は、仕様で定められてもよい。ＵＥは、通知された又は予め定められた候補の中から、ＵＣＩ送信に用いるＰＵＣＣＨシンボル数（及び／又はＰＵＣＣＨリソース）を決定してもよい。
【００９８】
例えば、ＵＥは、所定の信号（例えば、参照信号、同期信号など）の受信品質、所定の信号（例えば、ＵＬデータ信号）のＨＡＲＱ（Hybrid  Automatic  Repeat  reQuest）再送回数などに基づいて、ＵＣＩ送信に用いるＰＵＣＣＨシンボル数（及び／又はＰＵＣＣＨリソース）を決定してもよい。ＵＥは、受信品質が悪い及び／又はＨＡＲＱ再送回数が多い場合には、シンボル数の多いＰＵＣＣＨリソースでＵＣＩを送信するように判断してもよい。
【００９９】
ＲＳシンボル周期Ｘの値は、上位レイヤシグナリング（例えば、ＲＲＣシグナリング、ブロードキャスト情報）、物理レイヤシグナリング（例えば、ＤＣＩ）又はこれらの組み合わせにより通知されてもよいし、仕様で定められてもよい。
【０１００】
ＵＥは、ＰＵＣＣＨシンボルのうち、所定の位置のシンボル（例えば、最終シンボル、先頭シンボルなど）にＲＳをマッピングすると想定してもよい。また、ＵＥは、ＰＵＣＣＨシンボルのうち、上記所定の位置のシンボルの前方（及び／又は後方）にＸの整数倍個のシンボルごとにＲＳをマッピングすると想定してもよい。
【０１０１】
ＵＥは、ＰＵＣＣＨシンボルのＲＳの上記所定の位置（マッピング位置）に関する情報を上位レイヤシグナリング（例えば、ＲＲＣシグナリング、ブロードキャスト情報など）、物理レイヤシグナリング（例えば、ＤＣＩ）又はこれらの組み合わせにより通知されてもよい。
【０１０２】
当該マッピング位置に関する情報は、例えば、ＰＵＣＣＨシンボル内の特定のシンボル（例えば、最終シンボル、先頭シンボルなど）を示す情報であってもよいし、所定の時間単位（例えば、サブフレーム、スロット、ミニスロット、サブスロット）に含まれる特定のシンボル（例えば、ｉ（ｉは整数）番目のシンボル（又はショートシンボル））を示す情報であってもよい。
【０１０３】
ＵＥは、通信された情報に基づいて、自身に割り当てられたＰＵＣＣＨリソースに対する、ＰＵＣＣＨ構成（ＲＳ及びＵＣＩのリソースマッピング）を決定する。
【０１０４】
図１５Ａ−１５Ｄは、ＰＵＣＣＨ構成の判断の一例を示す図である。図１５Ａ及び１５Ｃは、それぞれＵＥに割り当てられたシンボル数８及び２のＰＵＣＣＨリソースを示す。本例では、Ｘ＝４が通知されているものとすると、ＵＥは、図１５ＡのＰＵＣＣＨリソースに対して、図１５Ｂのように最終シンボル及び最終シンボルの４つ前のシンボルにＲＳをマッピングし、その他の６つのシンボルにＵＣＩをマッピングしてもよい。
【０１０５】
また、ＵＥは、図１５ＣのＰＵＣＣＨリソースに対して、図１５Ｄのように最終シンボルにＲＳをマッピングし、最終シンボルの２つ前のシンボルにＵＣＩをマッピングしてもよい。
【０１０６】
［ＲＳ、ＵＣＩの系列］
ＵＥは、ＵＣＩとともに送信されるＲＳの系列を、ＲＳの基準系列（base  sequence）に基づいて生成する。ＲＳ基準系列は、ＣＡＺＡＣ（Constant  Amplitude  Zero  Auto-Correlation）系列（例えば、Ｚａｄｏｆｆ−ｃｈｕ系列）であってもよいし、３ＧＰＰ  ＴＳ  ３６．２１１  §５．５．１．２（特に、Ｔａｂｌｅ  ５．５．１．２−１、Ｔａｂｌｅ  ５．５．１．２−２）などで与えられるようなＣＡＺＡＣ系列に準ずる系列（ＣＧ−ＣＡＺＡＣ（computer  generated  CAZAC）系列）であってもよい。
【０１０７】
基準系列の情報は、上位レイヤシグナリング及び／又は物理レイヤシグナリングによりＵＥに通知されてもよい。ＣＡＺＡＣ系列の選択に関する情報、ＣＡＺＡＣ系列の位相回転量の情報、ＣＡＺＡＣ系列に準ずる系列の情報（例えば、上記Ｔａｂｌｅの行及び／又は列に関する情報（どの行及び／又は列に該当する値を用いるか））などが、ＵＥに通知されてもよい。
【０１０８】
ＵＣＩのためのデータ系列には、所定の基準系列（データ基準系列）に所定の変調（例えば、ＢＰＳＫ（Binary  Phase  Shift  Keying）、ＱＰＳＫ（Quadrature  Phase  Shift  Keying）など）を施したものを用いてもよい。データ基準系列は、ＲＳ基準系列と同様にＣＡＺＡＣ系列、ＣＡＺＡＣ系列に準ずる系列などを想定してもよいし、ＣＡＺＡＣ系列とは異なる系列（実数（例えば、１＋ｉ０（ｉは虚数）の系列）を想定してもよい。
【０１０９】
また、ＵＥは、ＲＳ系列及び／又はＵＣＩデータ系列に、符号分割多重（ＣＤＭ：Code  Division  Multiplexing）を適用してもよい。ＵＥは、例えば、ＲＳ系列及び／又はＵＣＩデータ系列に、ＵＥ間で異なる直交符号、異なる直交拡散、異なる巡回シフト（cyclic  shift）の少なくとも１つを適用してもよい。この場合、同一の周波数及び時間リソースを複数ＵＥで共用できるので、リソース利用効率を向上できる。
【０１１０】
ＲＳ系列のリソースマッピングについて説明する。上述したように、１つのＰＵＣＣＨ（ユニット）内には１つ又は複数のＲＳがマッピングされる。このため、ＲＳのマッピングとしては以下が考えられる：（１）ＲＳシンボル内（intra-symbol）で基準系列を割り当てる、（２）ＲＳシンボルをまたいで（inter-symbol）で基準系列を割り当てる。なお、基準系列を割り当てるとは、基準系列に基づくＲＳ系列を割り当てると読み替えられてもよい。
【０１１１】
上記（１）、（２）において、ＰＵＣＣＨの周波数リソースは、１又は複数の所定の周波数単位（例えば、サブキャリア、ＰＲＢなど）で構成されてもよい。
【０１１２】
上記（１）のマッピング方法では、１シンボル内のＲＳのサブキャリア数をｍとすると、Ｘ０、Ｘ１、…、Ｘｍ−１のｍ個（系列長：ｍ）の基準系列を生成し、ＲＳシンボル内のＲＳ用リソースのサブキャリアにそれぞれの基準系列を割り当てる。この方法では、ＰＵＣＣＨシンボル数（ＰＲＢ数）の異なるＵＥ間の多重が容易になり、スケジューリングの自由度が上がる。
【０１１３】
上記（２）のマッピング方法は、さらに以下の２つに分けられる：（２−１）全送信ＰＲＢ（全ＲＳシンボルの全ＰＲＢ）内で基準系列を割り当てる、（２−２）ＰＲＢグループ（全ＲＳシンボルの全ＰＲＢのうちの、いくつかのＰＲＢのセット）内で基準系列を割り当てる。
【０１１４】
上記（２−１）のマッピング方法では、１シンボル内のＲＳのサブキャリア数をｍ、ＰＵＣＣＨ内のＲＳシンボル数をＮとすると、Ｘ０、Ｘ１、…、Ｘ（Ｎ＊ｍ）−１のＮ＊ｍ個（系列長：Ｎ＊ｍ）の基準系列を生成し、全ＲＳシンボル内のＲＳ用リソースのサブキャリアにそれぞれの基準系列を割り当てる。
【０１１５】
上記（２−２）のマッピング方法では、１シンボル内のＲＳのサブキャリア数をｍ、ＰＲＢグループ内のＲＳシンボル数をＫとすると、Ｘ０、Ｘ１、…、Ｘ（Ｋ＊ｍ）−１のＫ＊ｍ個（系列長：Ｋ＊ｍ）の基準系列を生成し、ＰＲＢグループ内のＲＳ用リソースのサブキャリアにそれぞれの基準系列を割り当てる。
【０１１６】
このように、上記（２）の方法では、系列長が長くなることで系列数が多くなり、多数のＵＥの多重が可能になるため、リソース利用効率を向上できる。
【０１１７】
いずれのマッピング方法を用いる場合であっても、シンボルごとに異なる位相回転量で位相回転を適用してもよい。
【０１１８】
なお、ＰＵＣＣＨの周波数リソースが１ＰＲＢである場合、（１）はＰＲＢ内（intra-PRB）で基準系列を割り当てるマッピング方法と呼ばれてもよいし、（２）はＰＲＢをまたいで（inter-PRB）で基準系列を割り当てるマッピング方法と呼ばれてもよい。以下、簡単のためＰＵＣＣＨの周波数リソースが１ＰＲＢである場合を例に説明するが、ＰＵＣＣＨの周波数リソースが他の帯域幅で構成される場合も同様の方針でマッピングできる。
【０１１９】
図１６は、ＰＲＢ内でＲＳ基準系列を割り当てる場合のリソースマッピングの一例を示す図である。本例は、図４ＤのＰＵＣＣＨ構成（ＲＳ構成）を想定したＲＳのリソースマッピングを示している。この場合、ｍ＝１２である。ＵＥは、それぞれのＲＳシンボルに対して、ＰＲＢ内のＲＳサブキャリアにＸ０、Ｘ１、…、Ｘ１１の基準系列をマッピングする。
【０１２０】
図１７は、全送信ＰＲＢでＲＳ基準系列を割り当てる場合のリソースマッピングの一例を示す図である。本例は、図４ＤのＰＵＣＣＨ構成（ＲＳ構成）を想定したＲＳのリソースマッピングを示している。この場合、ｍ＝１２かつＮ＝４である。ＵＥは、Ｘ０、Ｘ１、…、Ｘ４７の基準系列（系列長＝４８）を生成し、全ＲＳシンボルのＰＲＢ内のＲＳサブキャリアに、それぞれＸ０、Ｘ１、…、Ｘ４７の基準系列をマッピングする。具体的には、ＰＵＣＣＨの最終シンボルにはＸ０、Ｘ１、…、Ｘ１１を、その４個前のＲＳシンボルにはＸ１２、Ｘ１３、…、Ｘ２３を、最終シンボルから８個前のＲＳシンボルにはＸ２４、Ｘ２５、…、Ｘ３５を、最終シンボルから１２個前のＲＳシンボルにはＸ３６、Ｘ３７、…、Ｘ４７を、それぞれマッピングする。なお、基準系列のマッピング順はこれに限られない。
【０１２１】
図１８は、ＰＲＢグループ内でＲＳ基準系列を割り当てる場合のリソースマッピングの一例を示す図である。本例は、図４ＤのＰＵＣＣＨ構成（ＲＳ構成）を想定したＲＳのリソースマッピングを示している。この場合、ｍ＝１２かつＫ＝２である。ＵＥは、Ｘ０、Ｘ１、…、Ｘ２３の基準系列（系列長＝２４）を生成し、ＰＲＢグループ内のＲＳサブキャリアに、それぞれＸ０、Ｘ１、…、Ｘ２３の基準系列をマッピングする。本例では、ＰＲＢグループは２つのＲＳシンボル（２つのＰＲＢ）で構成されるものとしている。ＰＵＣＣＨの最終シンボルのＲＳシンボル及びその４個前のＲＳシンボルが１つのＰＲＢグループを構成し、最終シンボルから８個前及び１２個前のＲＳシンボルが別のＰＲＢグループを構成している。
【０１２２】
以上説明したように、第１の実施形態によれば、シンボル数が異なるＰＵＣＣＨを用いる場合であっても、同じシンボル位置でＲＳを送信することができるため、通信スループットなどの劣化を抑制できる。
【０１２３】
＜第２の実施形態＞
ＵＣＩ通知方法としては、第１の実施形態で説明したような、ＵＣＩと、当該ＵＣＩの復調に必要なＲＳ（ＤＭＲＳ）とを、多重して通知する方法（コヒーレント送信（Coherent  Transmission）、コヒーレントデザインなどと呼ばれてもよい）以外の方法も考えられる。
【０１２４】
第２の実施形態は、コヒーレント送信のＰＵＣＣＨと他の信号との多重について説明する。この多重により、より柔軟なリソース割り当てが可能になり、リソース利用効率を向上できる。
【０１２５】
［ノンコヒーレントＵＣＩ通知との多重］
ＵＣＩ通知方法として、ＤＭＲＳを含まない送信信号でＵＣＩを通知する方法（ノンコヒーレント送信（Noncoherent  Transmission）、ノンコヒーレントデザインなどと呼ばれてもよい）が検討されている。ノンコヒーレント送信により通知されるＵＣＩ（ノンコヒーレント送信に基づくＵＣＩ）は、ネットワークによりＤＭＲＳを必要とせずに検出されるため、ＲＳ不要ＵＣＩ（RS  w/o  UCI）と呼ばれてもよい。
【０１２６】
また、ノンコヒーレント送信により通知されるＵＣＩは、所定のＲＳの送信に用いられる直交リソース（例えば、適用されるＣＤＭの符号、ＣＡＺＡＣ系列の位相回転量、時間及び／又は周波数リソースなど）により通知されてもよいため、ＲＳ上のＵＣＩ（RS  on  UCI）、ＵＣＩ通知用ＲＳなどと呼ばれてもよい。このように、ノンコヒーレント送信は、系列によってＵＣＩが判断されてもよいため、系列ベースＵＣＩ通知と呼ばれてもよい。
【０１２７】
なお、ＵＣＩ通知用ＲＳの基準系列は、ＣＡＺＡＣ系列であってもよいし、ＣＡＺＡＣ系列に準ずる系列であってもよい。基準系列の情報は、上位レイヤシグナリング及び／又は物理レイヤシグナリングによりＵＥに通知されてもよい。ＵＣＩ通知用ＲＳの生成及び／又は生成に用いる直交リソース（例えば、位相回転量）の候補の情報がＵＥに通知されてもよい。この場合、ＵＥは、通知された候補の中から、ＵＣＩ送信に用いる直交リソースを決定してもよい。例えば、通知すべきＵＣＩの情報（ＵＣＩの内容）に基づいて、直交リソースを決定してもよい。
【０１２８】
以下、図１９−２１を参照して、コヒーレント送信及びノンコヒーレント送信のＵＣＩの多重について説明する。なお、以下の説明における位相回転量は、他の直交リソース（例えば、ＣＤＭの符号）で読み替えられてもよい。
【０１２９】
図１９は、コヒーレント送信及びノンコヒーレント送信のＵＣＩの多重の一例を示す図である。本例では、１シンボルから成るユニット１（コヒーレント送信）及び４シンボルから成るユニット２（ノンコヒーレント送信）が互いに多重されている。ユニット１のＵＣＩ通知用ＲＳは、ユニット２のＲＳと同じシンボルにマッピングされている。
【０１３０】
ユニット１のＵＣＩ通知用ＲＳ及びユニット２のＲＳは、互いに直交する系列となるように生成される。本例では、これらのＲＳの系列は、それぞれ基準系列を異なる位相回転量で位相回転して得られる。所定のユニットが利用可能な１つ又は複数の位相回転量のセットは、位相回転量セットと呼ばれてもよい。
【０１３１】
図２０は、位相回転量セットの一例を示す図である。図２０では、ＲＳの送信に用いるサブキャリア数Ｍが１２である場合（つまり、ＲＳの送信に１ＰＲＢを用いる場合）を想定するが、これに限られない。
【０１３２】
基準系列の系列長は、サブキャリア数ＭとＰＲＢ数とによって定まる。ここでは、１ＰＲＢを想定しているため、基準系列の系列長は１２（＝１２×１）である。この場合、図２０に示すように、２π／１２の位相間隔を持つ１２の位相回転量α０−α１１が定義される。基準系列を位相回転量α０−α１１でそれぞれ位相回転（巡回シフト）させることにより得られる１２個の系列は、互いに直交する。なお、位相回転量α０−α１１は、サブキャリア数Ｍ、ＰＲＢ数、基準系列の系列長の少なくとも１つに基づいて定義されればよい。
【０１３３】
位相回転量セットは、当該位相回転量α０−α１１の中から選択される２以上の位相回転量で構成されてもよい。例えば、図２０では、ユニット１に割り当てられる位相回転量セットは、位相回転量α０−α１１のうち、連続する（隣接する）位相回転量α０−α３を含んで構成される。なお、当該位相回転量セットに含まれる位相回転量の数は３つに限られない。
【０１３４】
ここで、ＵＣＩ通知用ＲＳの生成に用いられる位相回転量は、それぞれＵＣＩで通知したい異なる情報に関連付けられている。例えば、図２０の場合、ユニット１のＵＣＩ通知用ＲＳに対応する位相回転量α０−α３は、それぞれ異なる情報（例えば、情報０−３）に関連付けられてもよい。つまり、ＵＥは、α０−α３から選択した位相回転量の１つを適用したＵＣＩ通知用ＲＳを送信することで、２ビットのＵＣＩを通知することができる。
【０１３５】
一方、ユニット２のＲＳは、ユニット１に割り当てられる位相回転量セット以外の位相回転量から選択される。図２０の場合、ユニット２のＲＳにはα４を適用して送信する。
【０１３６】
図２１Ａ−２１Ｄは、図２０におけるユニット１のＵＣＩ通知用ＲＳの生成処理の一例を示す図である。ＵＥは、ＲＳの生成処理では、系列長Ｍの基準系列Ｘ０−ＸＭ−１を、選択された位相回転量αで位相回転させ、位相回転された基準系列を、ＯＦＤＭ送信機又はＤＦＴ−Ｓ−ＯＦＤＭ送信機へ入力する。ＵＥは、ＯＦＤＭ送信機又はＤＦＴ−Ｓ−ＯＦＤＭ送信機からの出力信号を送信する。
【０１３７】
ＵＣＩとして情報０を通知する場合、ＵＥは、図２１Ａに示すように、基準系列Ｘ０−ＸＭ−１を、情報０に関連付けられる位相回転量α０を用いて位相回転する。同様に、ＵＣＩとして情報１−３を通知する場合、ＵＥは、それぞれ図２１Ｂ、２１Ｃ及び２１Ｄに示すように、基準系列Ｘ０−ＸＭ−１を、情報１−３に関連付けられる位相回転量α１、α２及びα３を用いて位相回転する。
【０１３８】
図２２は、コヒーレント送信及びノンコヒーレント送信のＵＣＩの多重の別の一例を示す図である。本例では、２シンボルから成るユニット１−３が互いに多重され、さらに４シンボルから成るユニット６と多重されている。また、４シンボルから成るユニット４−５は、８シンボルから成るユニット７と多重されている。
【０１３９】
また、ユニット４及び７のＲＳは、１シンボルから成るユニット８と多重されている。そして、ユニット５のＲＳは、ユニット９と多重されている。ユニット７のＵＣＩの一部は、ユニット５及び９のＲＳとの干渉を抑制するためにパディングされている。ユニット１−７は、ＵＣＩ及びＲＳを含むＰＵＣＣＨ（コヒーレント送信）であり、ユニット８及び９は、ＵＣＩ通知用ＲＳ（ノンコヒーレント送信）である。
【０１４０】
シンボル数の少ないＰＵＣＣＨが複数多重されるリソース（例えば、図２２のユニット１−３及び６が多重されるリソース）では、複数ＵＥ（ユニット）のＲＳ多重に符号領域が多く用いられるため、ＵＣＩ通知用ＲＳのための符号領域があまり残っていないことが想定される。このため、そのようなリソースではＵＣＩ通知用ＲＳがマッピングされにくい。
【０１４１】
一方、シンボル数の多いＰＵＣＣＨが多重されるリソース（例えば、図２２のユニット４又は５、及び７が多重されるリソース）では、複数ＵＥ（ユニット）のＲＳ多重に符号領域が使われにくいため、ＵＣＩ通知用ＲＳのための符号領域が比較的多く残っていることが想定される。このため、そのようなリソースではＵＣＩ通知用ＲＳがマッピングされる可能性が高い。
【０１４２】
［測定用参照信号（ＳＲＳ：Sounding  Reference  Signal）との多重］
コヒーレント送信のＵＣＩと、ＳＲＳとが多重されてもよい。当該ＳＲＳは、上述したようなＵＣＩ通知用のＲＳであってもよく、この場合、当該ＳＲＳは、ＵＣＩ通知用のＳＲＳ、ＳＲＳ上のＵＣＩ（SRS  on  UCI）などと呼ばれてもよい。ＵＣＩ通知用のＳＲＳは、上述したような系列ベースの信号であってもよい。また、当該ＳＲＳは、ＵＣＩが多重されない通常のＳＲＳであってもよい。
【０１４３】
図２３は、コヒーレント送信のＰＵＣＣＨ及びＵＣＩ通知用のＳＲＳの多重の一例を示す図である。図２４は、コヒーレント送信のＰＵＣＣＨ及びＵＣＩが多重されないＳＲＳの多重の一例を示す図である。これらの例において、４シンボルから成るユニット１のＲＳが、ＳＲＳと多重されている。ＳＲＳは、スロット内の最終シンボルにマッピングされると想定されるため、コヒーレント送信のＰＵＣＣＨに含まれるＲＳがＰＵＣＣＨシンボルの最終シンボルにマッピングされる場合には、好適に多重することができる。
【０１４４】
以上説明したように、第２の実施形態によれば、コヒーレント送信のＰＵＣＣＨと他の信号との多重を好適に行うことができ、より柔軟なリソース割り当てが可能になり、リソース利用効率を向上できる。
【０１４５】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１４６】
図２５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１４７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１４８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１４９】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１５０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１５１】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１５２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１５３】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１５４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１５５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１５６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１５７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１５８】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１５９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１６０】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１６１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１６２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１６３】
（無線基地局）
図２６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１６４】
下りリンクにより無線基地局１０からユーザ端末２０に送信されるユーザデータは、上位局装置３０から伝送路インターフェース１０６を介してベースバンド信号処理部１０４に入力される。
【０１６５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１６６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１６７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１６８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１６９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１７０】
送受信部１０３は、複数の異なる長さのＴＴＩ（ＴＴＩ長）を用いて信号を送信及び／又は受信してもよい。例えば、送受信部１０３は、１つ又は複数のキャリア（セル、ＣＣ）において、第１のＴＴＩ（例えば、ロングＴＴＩ）及び当該第１のＴＴＩよりＴＴＩ長が短い第２のＴＴＩ（例えば、ショートＴＴＩ）を用いて、信号の受信を行ってもよい。
【０１７１】
例えば、送受信部１０３は、ユーザ端末２０から、シンボル数の異なる複数の上り制御チャネル（例えば、ＰＵＣＣＨ）構成の少なくとも１つを用いて上り制御情報（ＵＣＩ）を受信してもよい。また、送受信部１０３は、ノンコヒーレント送信に基づく上り制御情報（例えば、ＵＣＩ通知用ＲＳ）、測定用参照信号（例えば、ＳＲＳ）などを受信してもよい。
【０１７２】
また、送受信部１０３は、ＰＵＣＣＨシンボル数に関する情報、ＰＵＣＣＨシンボルのＲＳのマッピング位置に関する情報、ＲＳ基準系列及び／又はＵＣＩ基準系列の情報、ＵＣＩ通知用ＲＳの基準系列の情報の少なくとも１つを、ユーザ端末２０に対して送信してもよい。
【０１７３】
図２７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１７４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１７５】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１７６】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１７７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１７８】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１７９】
制御部３０１は、第１のＴＴＩ（例えば、ロングＴＴＩ、サブフレーム、スロットなど）と、第１のＴＴＩよりＴＴＩ長が短い第２のＴＴＩ（例えば、ショートＴＴＩ、ｓＴＴＩ、ミニスロットなど）と、を用いた１つ又は複数のＣＣにおける信号の送信及び／又は受信を制御する。
【０１８０】
制御部３０１は、シンボル数の異なる複数の上り制御チャネル（例えば、ＰＵＣＣＨ）構成の少なくとも１つを用いて上り制御情報（ＵＣＩ）を受信するように制御する。制御部３０１は、当該複数の上り制御チャネル構成のいずれが用いられる場合であっても、同じ時間リソース（例えば、同じ時間リソース及び周波数リソース）に参照信号（例えば、ＵＣＩの復調用参照信号）がマッピングされると想定して受信処理する制御を行ってもよい。
【０１８１】
例えば、制御部３０１は、上り制御チャネルの所定のシンボル（例えば、最終シンボル、先頭シンボルなど）に上記参照信号がマッピングされると想定してもよい。また、制御部３０１は、上り制御チャネルのシンボル数が所定の閾値を超える場合、所定のシンボルを基準として当該所定の閾値の整数倍前及び／又は後ろのシンボルに、上記参照信号がマッピングされると想定してもよい。
【０１８２】
また、制御部３０１は、ユーザ端末２０がシンボル数の異なる複数の上り制御チャネルの送信及び／又はリソースマッピングを制御するための情報を生成及び送信して、当該ユーザ端末２０に当該制御を実施させてもよい。この情報は、例えば、上位レイヤシグナリング、ＤＣＩなどで通知されてもよい。
【０１８３】
制御部３０１は、上記参照信号が、ノンコヒーレント送信に基づく上り制御情報（例えば、ＵＣＩ通知用ＲＳ）及び／又は測定用参照信号（例えば、ＳＲＳ）と多重されると想定してもよい。
【０１８４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１８５】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１８６】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１８７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１８８】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１８９】
測定部３０５は、受信した信号に関する測定を実施する。測定部３０５は、本発明に係る技術分野での共通認識に基づいて説明される測定器、測定回路又は測定装置から構成することができる。
【０１９０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１９１】
（ユーザ端末）
図２８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１９２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１９３】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１９４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１９５】
送受信部２０３は、複数の異なる長さのＴＴＩ（ＴＴＩ長）を用いて信号を送信及び／又は受信してもよい。例えば、送受信部２０３は、１つ又は複数のキャリア（セル、ＣＣ）において、第１のＴＴＩ（例えば、ロングＴＴＩ）及び当該第１のＴＴＩよりＴＴＩ長が短い第２のＴＴＩ（例えば、ショートＴＴＩ）を用いて、信号の送信を行ってもよい。
【０１９６】
例えば、送受信部２０３は、無線基地局１０に対して、シンボル数の異なる複数の上り制御チャネル（例えば、ＰＵＣＣＨ）構成の少なくとも１つを用いて上り制御情報（ＵＣＩ）を送信してもよい。また、送受信部２０３は、ノンコヒーレント送信に基づく上り制御情報（例えば、ＵＣＩ通知用ＲＳ）、測定用参照信号（例えば、ＳＲＳ）などを送信してもよい。
【０１９７】
また、送受信部２０３は、ＰＵＣＣＨシンボル数に関する情報、ＰＵＣＣＨシンボルのＲＳのマッピング位置に関する情報、ＲＳ基準系列及び／又はＵＣＩ基準系列の情報、ＵＣＩ通知用ＲＳの基準系列の情報の少なくとも１つを、無線基地局１０から受信してもよい。
【０１９８】
図２９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１９９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２００】
制御部４０１は、ユーザ端末２０全体の制御を実施する。制御部４０１は、本発明に係る技術分野での共通認識に基づいて説明されるコントローラ、制御回路又は制御装置から構成することができる。
【０２０１】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０２０２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２０３】
制御部４０１は、第１のＴＴＩ（例えば、ロングＴＴＩ、サブフレーム、スロットなど）と、第１のＴＴＩよりＴＴＩ長が短い第２のＴＴＩ（例えば、ショートＴＴＩ、ｓＴＴＩ、ミニスロットなど）と、を用いた１つ又は複数のＣＣにおける信号の送信及び／又は受信を制御する。
【０２０４】
制御部４０１は、シンボル数の異なる複数の上り制御チャネル（例えば、ＰＵＣＣＨ）構成の少なくとも１つを用いて上り制御情報（ＵＣＩ）を送信するように制御する。制御部４０１は、当該複数の上り制御チャネル構成のいずれを用いる場合であっても、同じ時間リソース（例えば、同じ時間リソース及び周波数リソース）に参照信号（例えば、ＵＣＩの復調用参照信号）をマッピングする制御を行ってもよい。
【０２０５】
例えば、制御部４０１は、上り制御チャネルの所定のシンボル（例えば、最終シンボル、先頭シンボルなど）に上記参照信号をマッピングする制御を行ってもよい。また、制御部４０１は、上り制御チャネルのシンボル数が所定の閾値を超える場合、所定のシンボルを基準として当該所定の閾値の整数倍前及び／又は後ろのシンボルに、上記参照信号をマッピングする制御を行ってもよい。
【０２０６】
制御部４０１は、上り制御チャネルのシンボル数に関する情報に基づいて、上り制御チャネルのシンボル数を決定してもよい。
【０２０７】
制御部４０１は、ＵＣＩ系列及び参照信号系列の生成及びリソースマッピングを制御してもよい。例えば、制御部４０１は、上記参照信号の基準系列の系列長を複数のシンボルのリソースに基づいて算出し、当該複数のシンボルのリソースにわたって当該基準系列に基づく系列を割り当てる（マッピングする）制御を行ってもよい。
【０２０８】
制御部４０１は、上記参照信号を、ノンコヒーレント送信に基づく上り制御情報（例えば、ＵＣＩ通知用ＲＳ）及び／又は測定用参照信号（例えば、ＳＲＳ）と多重してもよい。
【０２０９】
また、制御部４０１は、無線基地局１０から通知された各種情報を受信信号処理部４０４から取得した場合、当該情報に基づいて制御に用いるパラメータを更新してもよい。
【０２１０】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０２１１】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２１２】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０２１３】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２１４】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２１５】
測定部４０５は、受信した信号に関する測定を実施する。測定部４０５は、本発明に係る技術分野での共通認識に基づいて説明される測定器、測定回路又は測定装置から構成することができる。
【０２１６】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０２１７】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０２１８】
例えば、本発明の一実施形態における無線基地局、ユーザ端末などは、本発明の無線通信方法の処理を行うコンピュータとして機能してもよい。図３０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２２０】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０２２１】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０２２２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０２２３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２２４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２２５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２２６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０２２７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２２８】
また、プロセッサ１００１、メモリ１００２などの各装置は、情報を通信するためのバス１００７で接続される。バス１００７は、単一のバスで構成されてもよいし、装置間で異なるバスで構成されてもよい。
【０２２９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２３０】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２３１】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０２３２】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０２３３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３５】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２３６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２３８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２４０】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２４１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２４２】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２４３】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２４４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４５】
また、情報、信号などは、上位レイヤから下位レイヤ、及び／又は下位レイヤから上位レイヤへ出力され得る。情報、信号などは、複数のネットワークノードを介して入出力されてもよい。
【０２４６】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２４７】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２４８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２４９】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２５０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２５１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２５３】
本明細書で使用する「システム」及び「ネットワーク」という用語は、互換的に使用される。
【０２５４】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２５５】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２５６】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２５７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２５８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２５９】
同様に、本明細書におけるユーザ端末は、無線基地局で読み替えてもよい。この場合、上述のユーザ端末２０が有する機能を無線基地局１０が有する構成としてもよい。
【０２６０】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２６１】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２６２】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２６３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６４】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２６５】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６６】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０２６７】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０２６８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２６９】
本出願は、２０１７年１月２０日出願の特願２０１７−００８９４９に基づく。この内容は、全てここに含めておく。
【図１】
2018135608.tif 000003
【図２】
2018135608.tif 000004
【図３】
2018135608.tif 000005
【図４】
2018135608.tif 000006
【図５】
2018135608.tif 000007
【図６】
2018135608.tif 000008
【図７】
2018135608.tif 000009
【図８】
2018135608.tif 000010
【図９】
2018135608.tif 000011
【図１０】
2018135608.tif 000012
【図１１】
2018135608.tif 000013
【図１２】
2018135608.tif 000014
【図１３】
2018135608.tif 000015
【図１４】
2018135608.tif 000016
【図１５】
2018135608.tif 000017
【図１６】
2018135608.tif 000018
【図１７】
2018135608.tif 000019
【図１８】
2018135608.tif 000020
【図１９】
2018135608.tif 000021
【図２０】
2018135608.tif 000022
【図２１】
2018135608.tif 000023
【図２２】
2018135608.tif 000024
【図２３】
2018135608.tif 000025
【図２４】
2018135608.tif 000026
【図２５】
2018135608.tif 000027
【図２６】
2018135608.tif 000028
【図２７】
2018135608.tif 000029
【図２８】
2018135608.tif 000030
【図２９】
2018135608.tif 000031
【図３０】
2018135608.tif 000032
【国際調査報告】
2018135608.tif 000033
2018135608.tif 000034
2018135608.tif 000035
2018135608.tif 000036